(57)【要約】【課題】一般生活用水との同時使用においても、瞬間的に大流量を必要とする水道直結型大便器等の特定の水栓器具や住宅消火用機器に給水が不足しない配水盤を提供すること。【解決手段】一部を開口して蓋で覆われる箱体部内に、給水を供給する水流入口と、その水流入口に接続され給水を分岐する給水分岐部と、その給水分岐部出口側一端に接続され給水圧力を一定値に調節する減圧弁と、続いてその減圧弁に接続される複数の水回り機器類への給水取り出し口を有する第一のヘッダーと、前記給水分岐部出口他端に接続される複数の水回り機器類への給水取り出し口を有する第二の給水ヘッダーとを備えた配水盤とした。【選択図】図２
2005023556.tif 000002
【特許請求の範囲】
【請求項１】
一部を開口して蓋で覆われる箱体部内に、給水を供給する水流入口と、その水流入口に接続され給水を分岐する給水分岐部と、その給水分岐部出口側一端に接続され給水圧力を一定値に調節する減圧弁と、続いてその減圧弁に接続される複数の水回り機器類への給水取り出し口を有する第一のヘッダーと、前記給水分岐部出口他端に接続される複数の水回り機器類への給水取り出し口を有する第二の給水ヘッダーとを備えたことを特徴とする配水盤。
【請求項２】
前記第二の給水ヘッダーの通水口径を、前記第一の給水ヘッダーの通水口径より大口径としたことを特徴とする請求項１に記載の配水盤。
【発明の詳細な説明】
【０００１】
【発明の属する技術分野】
本発明は、屋外に設置したヘッダーから屋内の水回り器具や住宅消火用機器に架橋ポリエチレンやポリブテン製の樹脂管で給水・給湯するヘッダー配管の施工の際に用いる配水盤に関する。
【０００２】
【従来の技術】
従来の配水盤を詳述すると、以下のとおりである。
従来の配水盤は、前面と上面を開口して蓋で覆われる箱体と、この箱体背面に連接された小型のハウジング部とを備えている。さらに、箱体には給水本管から住宅に分岐される給水元管を接続する水流入口と給水圧力を一定値に調節する減圧弁と給湯機への配管を接続する水流出口と、屋内の水回り機器類への配管を接続する給水配管接続口とを備えた給水ヘッダー部と、給湯機からの配管を接続する湯流入口と、屋内の水回り機器類への配管を接続する給湯配管接続口を備えた給湯ヘッダー部とが収納されている。また、ハウジング部に給水配管接続口及び給湯配管接続口に接続される樹脂配管の挿通口を設け、家屋の基礎部に予め形成した切り欠き部にこのハウジング部を挿入し、上記箱体部を屋外に露出させて設置されている（例えば、特許文献１参照。）。
【０００３】
【特許文献１】
特開２００１−２４８１９２号公報
【０００４】
【発明が解決しようとする課題】
従来の配水盤では、水撃作用や流速による摩耗から、洗面所、台所、浴槽、トイレなどに設置された水栓器具を保護するため、減圧弁を設けて給水圧を一定圧力以下に保持するよう構成されていた。しかし、減圧弁を設けた場合、ダイヤフラムの働きにより、一定の圧力損失が発生するため、比較的に高い給水圧を必要とする器具では水圧不足の問題が起こることもある。
【０００５】
例えば、このような配水盤では、水道の給水圧を直接利用して洗浄を行う水道直結型大便器のように瞬間的に大流量を必要とする特定の水栓器具において、特に他の水栓器具と同時に使用された場合、給水圧力が不足し十分な給水ができず洗浄不良になるという問題があった。
【０００６】
さらに、近年、一般住宅の火災に対応するため、給水圧を利用した住宅用スプリンクラーなどの住宅消火用機器が普及し始めているが、このような設備では、火災時に消火のため大流量が必要であり、他の水栓器具より優先的に給水できるよう構成する必要がある。
【０００７】
本発明は、前記課題を解決するためになされたもので、本発明の目的は、瞬間的に大流量を必要とする水道直結型大便器等の特定の水栓器具や住宅消火用機器などに、給水が不足しない配水盤を提供することにある。
【０００８】
【課題を解決するための手段】
上記目的を達成するために請求項１では、一部を開口して蓋で覆われる箱体部内に、給水を供給する水流入口と、その水流入口に接続され給水を分岐する給水分岐部と、その給水分岐部出口側一端に接続され給水圧力を一定値に調節する減圧弁と、続いてその減圧弁に接続される複数の水回り機器類への給水取り出し口を有する第一のヘッダーと、前記給水分岐部出口他端に接続される複数の水回り機器類への給水取り出し口を有する第二の給水ヘッダーとを備えたことを特徴とする配水盤とした。
【０００９】
これにより、減圧弁を通過する第一の給水ヘッダーと、減圧弁を通過しない第二の給水ヘッダーを箱体内部に備えたので、第二の給水ヘッダーに瞬間的に大流量を必要とする水道直結型大便器等の特定の水栓器具や住宅消火用機器を接続すれば、減圧弁による水圧制限がかからず、さらに通水による減圧弁本体の圧力損失も発生しない。さらに、他の水栓器具と同時に使用された場合でも、第二の給水ヘッダーに接続された瞬間的に大流量を必要とする水道直結型大便器等の特定の水栓器具や住宅消火用機器に大量の水を供給することが可能になる。
また、減圧弁、第一のヘッダー及び第二のヘッダーを配水内の一箇所にまとめることにより集中管理が容易となる。
【００１０】
請求項２では、請求項１記載の配水盤において、第二の給水ヘッダーの通水口径を、第一の給水ヘッダーの通水口径より大口径とした。
【００１１】
これにより、第二の給水ヘッダーに瞬間的に大流量を必要とする水道直結型大便器等の特定の水栓器具や住宅消火用機器を接続すれば減圧弁による給水圧の制限が発生しない事に加え、前記給水ヘッダーを流体が通過する際に発生する圧力損失も小さく押さえる事ができる。他の水栓器具と同時に使用された場合でも、第二の給水ヘッダーに接続された特定の水栓器具や住宅消火用機器に大量の水を供給することが可能になる。
【００１２】
【発明の実施の形態】
以下に本発明の実施形態について説明する。
図１は本発明の配水盤を用いた家屋全体の配管レイアウト図である。
【００１３】
家屋の基礎部外面に取り付けられた配水盤１の側面には水流入口２３が設けられ、この水流入口２３には水道メーター２と連通した給水元管３が接続されており、他方の側面には水流出口２１と湯流入口２２が設けられ、各々給湯機４と連通する給水往配管５と給湯戻配管６が接続されている。
【００１４】
前記配水盤１からは、住宅消火用機器である住宅用スプリンクラー７を経て大便器８へ、また台所用湯水混合栓９、浴室用湯水混合栓１０、洗面化粧台用湯水混合栓１１などの水栓器具へ架橋ポリエチレン製の管で接続されている。
【００１５】
次に配水盤の詳細について図２を用いて説明する。図２は本発明の実施形態における配水盤１の蓋体部を外した状態の上面図である。配水盤１の左側面３５に水流入口２３がネジ止めされていて、前記配水盤１の内部に給水分岐部３８が設置されている。
【００１６】
給水分岐部３８の一端には、フィルター部２０、減圧弁１８、さらに３個の第一の給水ヘッダー１３の順に水密に接続され、第一の給水ヘッダー１３の下流端は、配水盤１の右側面１９にネジ止めされた水流出口２１に接続されている。
【００１７】
また、給水分岐部３８の他端には、連結管３４、第二の給水ヘッダー１２の順に水密に接続されている。第一の給水ヘッダー、第二の給水ヘッダーには複数の分岐給水管接続部が設けられている。
【００１８】
第二の給水ヘッダー１２は第一の給水ヘッダー１３より分岐給水管接続部の通水部口径を大きく形成している。第一の給水ヘッダー１３には小口径の第一給水管１５が、また第二の給水ヘッダー１２には大口径の第二給水管１７が接続される。第一給水管１５はクイックファスナー３６で第一の給水ヘッダー１３に、第二給水管１７はクイックファスナー３７で第二の給水ヘッダー１２に接続されている。
【００１９】
なお、配水盤１の右側面１９には、外部の給湯設備からお湯を引き込む湯流入口２２がネジ止めされ配水盤１の内部で２個の給湯ヘッダー１４に順に接続されており、給湯ヘッダー１４は、前記第一の給水ヘッダー１３と同一形状をしており、前記第一給水管１５と同一口径の給湯管１６がクイックファスナー３６で接続されている。
【００２０】
火災時に大量の水を必要とする住宅用スプリンクラー７は最低３０リットル／分、水道直結型の大便器８は最低２０リットル／分の流量を必要とする。前記住宅用スプリンクラー７や水道直結型の大便器８は、その他の水栓器具に比べて、性能を発揮するための必要流量が多い。
【００２１】
通水断面積の小さな、第一の給水ヘッダー１３、給湯ヘッダー１４の通水抵抗は、通水断面積の大きな第二の給水ヘッダー１２の通水抵抗より大きいため、同水圧であれば、後者に前者より多くの水が流れる。さらに第一の給水ヘッダー１３の上流には減圧弁１８が配設されているので、減圧弁１８による圧力損失が発生し、第一の給水ヘッダー１３と第二の給水ヘッダー１２に同時に給水する場合でも、第二の給水ヘッダー１２へより多くの水量が供給できる。
【００２２】
また、減圧弁、第一のヘッダー及び第二のヘッダーを配水盤内の一箇所にまとめることにより集中管理が容易となる。すなわち、瞬間的に大流量を必要とする水道直結型大便器等の特定の水栓器具や住宅消火用機器などに給水する第二のヘッダーと、減圧弁により給水圧を一定圧力以下に保持する必要のある水栓器具に給水する第一のヘッダーを同一配水盤内で管理することができる。
【００２３】
瞬間的に大流量を必要とする水道直結型大便器等の特定の水栓器具や住宅消火用機器などに給水する第二のヘッダーの給水分岐部側に、大流量を止めたとき発生するウォターハンマーや消火後スプリンクラー等を停止するために、ウォターハンマー防止装置や停止弁を設けても良い。
【００２４】
本発明の実施形態における配水盤では、第一の給水ヘッダー１３の分岐給水管接続部と第一給水管１５の口径をφ１３ｍｍ、第二の給水ヘッダー１２と第二給水管１７の口径をφ１６ｍｍとしたが、これに限定されるものではなく第二の給水ヘッダー１２の分岐給水管接続部と第二給水管１７の口径が、第一の給水ヘッダー１３と第一給水管１５の口径より大きく設定されていれば良い。
【００２５】
また、第一の給水ヘッダー１３のそれぞれに分岐給水管接続部を３口、第二の給水ヘッダー１２に分岐給水管接続部を２口設けたが、接続口数は前記口数に限ったものではなく、それぞれ１口以上設けられていれば良い。
【００２６】
さらに第一の給水ヘッダー１３と第一給水管１５、第二の給水ヘッダー１２と第二給水管１７は、クイックファスナーによる接続としたが、袋ナットやワンタッチカプラーによる接続方式でも良い。
【００２７】
図３は本発明の実施形態における配水盤の左側面図（図２のＡ視）、図４は本発明の実施形態における配水盤の右側面図（図２のＢ視）である。
【００２８】
図４において、配水盤１の箱体は、前面及び上面を開口する箱体部２４と、前記箱体部２４の開口を塞ぐ断面Ｌ型の蓋体部２５より構成されている。箱体部２４と蓋体部２５はステンレス鋼板で形成され、家屋基礎の切り欠き部に挿入されるハウジング部２６が箱体部２４に溶接されている。
【００２９】
そして、ハウジング部２６には複数の筒状の樹脂ガイド２７、２８、２９が上下２列に取り付けられている。樹脂ガイド２７には、第一の給水ヘッダー１３に接続された第一給水管１５が挿通され、樹脂ガイド２８には、第二の給水ヘッダー１２に接続された第二給水管１７が挿通され、前記樹脂ガイド２９には、給湯ヘッダー１４に接続された給湯管１６が挿通される。
【００３０】
なお、配水盤１をコンパクトに形成するため、前記樹脂ガイドを上下２列に配列している。箱体部２４と蓋体部２５はステンレス鋼板で形成したが、材質はこれに限るものではなく、塗装鋼板やアルミニウム板あるいは樹脂成形でも良い。
【００３１】
図５は本発明の実施形態における配水盤の蓋体部を取り外した状態の正面図である。
【００３２】
第一の給水ヘッダー１３は黄銅製で両端に鍔部を有し、箱体部２４の下面に溶接されたステー３０とバンド３１で前記鍔部を挟み込み固定されていて、バンド３１はステー３０にビス止めされている。
また、第二の給水ヘッダー１２も黄銅製で両端に鍔部を有し、箱体部２４の下面に溶接されたステー３２とバンド３３で前記鍔部を挟み込み固定されていて、バンド３３はステー３２にビス止めされている。
さらに、給湯ヘッダー１４も黄銅製で両端に鍔部を有し、箱体部２４の下面に溶接されたステー３９とバンド４０で前記鍔部を挟み込み固定されていて、バンド４０はステー３９にビス止めされている。
また、第二の給水ヘッダー１２と給湯ヘッダー１４の接続部は、通水路としてつながらないように塞がれ、給水ヘッダーや給湯ヘッダーと同様に、ステー４１とバンド４２で固定されている。
なお、第一の給水ヘッダー１３、第二の給水ヘッダー１２、給湯ヘッダー１４は黄銅製としたが、青銅や合成樹脂で形成されてもよい。
【００３３】
【発明の効果】
本発明の配水盤は以上のように、給水元管に接続可能な水流入口から減圧弁を介して、水を分岐給水する第一の給水ヘッダーと、減圧弁を介さずに分岐給水する第二の給水ヘッダーを備えたので、第二の給水ヘッダーに特定の水栓器具や住宅用スプリンクラーなどの住宅消火用機器を接続すれば減圧弁による圧力損失がなく、さらに通水による減圧弁本体の圧力損失も発生しないので、他の水栓器具と同時に使用された場合でも、第二の給水ヘッダーに接続された特定の水栓器具や住宅消火用機器に大量の水を供給することが可能になる。
【００３４】
また、減圧弁、第一のヘッダー及び第二のヘッダーを配水盤内の一箇所にまとめることにより集中管理が容易となる。
【００３５】
さらに、減圧弁を通過する第一の給水ヘッダーと、減圧弁を通過しない第二の給水ヘッダーを備え、かつ、第二の給水ヘッダーの通水口径を第一の給水ヘッダーの通水口径より大口径としたので、第二の給水ヘッダーに特定の水栓器具や住宅用スプリンクラーなどの住宅消火用機器を接続すれば減圧弁による圧力損失が発生しない事に加え、前記給水ヘッダーを流体が通過する際に発生する圧力損失も小さく押さえる事ができるので、他の水栓器具と同時に使用された場合でも、第二の給水ヘッダーに接続された特定の水栓器具や住宅消火用機器に大量の水を供給することが可能になる。
【図面の簡単な説明】
【図１】本発明の配水盤を用いた家屋全体の配管レイアウト図である。
【図２】本発明の実施形態における配水盤の上面図である。
【図３】本発明の実施形態における配水盤の左側面図である。
【図４】本発明の実施形態における配水盤の右側面図である。
【図５】本発明の実施形態における配水盤の正面図である。
【符号の説明】
１  配水盤
２  水道メーター
３  給水元管
４  給湯機
５  給水往配管
６  給湯戻配管
７  住宅用スプリンクラー
８  大便器
９  台所用湯水混合栓
１０  浴室用湯水混合栓
１１  洗面化粧台用湯水混合栓
１２  第二の給水ヘッダー
１３  第一の給水ヘッダー
１４  給湯ヘッダー
１５  第一給水管
１６  給湯管
１７  第二給水管
１８  減圧弁
１９  右側面
２０  フィルター部
２１  水流出口
２２  湯流入口
２３  水流入口
２４  箱体部
２５  蓋体部
２６  ハウジング部
２７  樹脂ガイド
２８  樹脂ガイド
２９  樹脂ガイド
３０  ステー
３１  バンド
３２  ステー
３３  バンド
３４  連結管
３５  左側面
３６  クイックファスナー
３７  クイックファスナー
３８  給水分岐部
３９  ステー
４０  バンド
４１  ステー
４２  バンド
【図１】
2005023556.tif 000003
【図２】
2005023556.tif 000004
【図３】
2005023556.tif 000005
【図４】
2005023556.tif 000006
【図５】
2005023556.tif 000007